(57)【特許請求の範囲】
【請求項１】
車両のためのサンバイザであって、そのサンバイザ本体（２１）が、上方の長手縁の中間領域内に切欠（４６）を備えており、この切欠内に支承装置（４５）が配置されており、この支承装置が、サンバイザ本体（２１）内に係合する軸ジャーナル（４７）を有する軸体（１６）と、この軸体を締付ける係止ばね（１７）とを備えている形式のものにおいて、支承装置（４５）が、係止ばね（１７）の受容、軸体（１６）の受容、及び車体に固定可能なアダプタ（１９）の受容のための１つの支承ケーシング（１）を備えており、その場合、クリップ結合を介して支承ケーシング（１）に固定されたアダプタ（１９）が、支承装置（４５）と、該支承装置（４５）に軸体（１６）を介してフラップ運動可能に結合されたサンバイザ本体（２１）とを支持しており、
支承ケーシング（１）が基板（２）と、これに一体に結合されたＵ字形プロフィール（３）とから成り、このＵ字形プロフィールの底部の内側が丸み部（２０）を備えており、
支承ケーシング（１）の基板（２）が、Ｕ字形プロフィール（３）が結合されていない側の基板（２）の外輪郭に対して基板（２）の内側にオフセットして基板（２）の外輪郭と平行に延びていて鉛直に起立したフランジ（４）を備えており、
完成天蓋（４２）などの支持体部分に支承装置（４５）を予め取り付けるために、支承ケーシング（１）のフランジ（４）が鉛直方向に延びる面の外側に、下方をアンダカットされた水平方向の突起（１１）を備えていて、該突起（１１）とは反対側に支承ケーシング（１）のＵ字形プロフィール（３）が、係止突起として働く水平方向の隆起部（４１）を外側面に備えていて、該突起（１１）と該隆起部（４１）とが前記支持体部分に挿入されて、係止されることを特徴とする、車両のためのサンバイザ。
【請求項２】
支承ケーシング（１）の基板（２）がリブ（５）を備えており、これらのリブがＵ字形プロフィール（３）の内部へ延びていて隆起部（１３）を形成している、請求項１記載のサンバイザ。
【請求項３】
Ｕ字形プロフィール（３）の壁が、アダプタ（１９）のクリップ固定のために、プロフィール通路（１２）内へ突入するクリップ突起（１８）を備えている、請求項１又は２記載のサンバイザ。
【請求項４】
基板（２）が、アダプタ（１９）をも貫通する固定ねじ（４４）のための楕円形の貫通孔（７）を備えた膨出部（６）を備えており、かつさらに位置決めドームを有している、請求項１から３までの少なくともいずれか１項記載のサンバイザ。
【請求項５】
軸体（１６）が、係止ばね（１７）のための係止面として役立つ片側に制限された平面部（２２）を備えた円柱形の１つの中間部分（３７）と、摺動阻止部材としてのリング状の２つの隆起部（２３）と、サンバイザ本体（２１）内へ係合する２つの軸ジャーナル（４７）と、同様にサンバイザ本体（２１）内に係合する１つのフランジ（２４）とを備えている、請求項１から３までの少なくともいずれか１項記載のサンバイザ。
【請求項６】
係止ばね（１７）がＵ字形に形成されており、かつ支承ケーシング（１）のＵ字形プロフィール（３）に相応する丸み部を、Ｕ字の底部の外側に備えており、かつ、係止ばね（１７）の一方のばね脚（３５）が比較的広幅に、かつ他方のばね脚が比較的狭幅に形成されており、かつ、両方のばね脚（３５，３６）の自由端が、ウェブ状の段状突起（２９，３０）を備えており、これらの段状突起がアダプタ（１９）のスリット状切欠（２７，２８）内に係合している、請求項１から５までの少なくともいずれか１項記載のサンバイザ。
【請求項７】
アダプタ（１９）がスリット状切欠（２７，２８）を備えたほぼ方形の中間部分（２６）と、これの左側及び右側に続いていてＵ字形プロフィール（３）内への係合及びプロフィール通路（１１２）内へ突入したクリップ突起（１８）とのクリップ係合のための段状の成形体（３１）とから成り、かつ、固定ねじ（４４）のための楕円形の貫通孔（４０）を備えた隔てスリーブ（３３）を備えている、請求項１から６までの少なくともいずれか１項記載のサンバイザ。
【発明の詳細な説明】
【０００１】
【発明の属する技術分野】
本発明は車両のためのサンバイザであって、そのサンバイザ本体が、上方の長手縁の中間領域内に切欠を備えており、この切欠内に支承装置が配置されており、この支承装置が、サンバイザ本体内に係合する軸ジャーナルを有する軸体と、この軸体を締付ける係止ばねとを備えている形式のものに関する。
【０００２】
【従来の技術】
この種のサンバイザは種々の実施形で公知である。その限りにおいて、ドイツ連邦共和国実用新案登録第１９２２３６２号明細書並びにドイツ連邦共和国特許公開第３００４２５４号明細書及びドイツ連邦共和国特許公開第１９５３３８９７号明細書を参照されたい。これらの公知のサンバイザにおける欠点は、サンバイザ本体が非使用時に天蓋に確実に保持されないことにある。
【０００３】
【発明が解決しようとする課題】
本発明の課題は、サンバイザ本体が極端な熱負荷又は低温負荷又は走行運転時の激しい振動にさらされた場合でも確実に天蓋に保持されるような冒頭に記載した形式のサンバイザを提供することにある。その場合さらに、製作及び取付けの簡単なわずかな構成部品から成る支承装置を製作することにも努力が払われる。
【０００４】
【課題を解決するための手段】
上記課題は本発明によれば、請求項１に記載されているように、支承装置が、係止ばねの受容、軸体の受容、及び車体に固定可能なアダプタの受容のための１つの支承ケーシングを備えており、その場合、クリップ結合を介して支承ケーシングに固定されたアダプタが、支承装置と、ひいてはこれに軸体を介してフラップ運動可能に結合されたサンバイザ本体とを支持していることにより解決される。その他の請求項には本発明の有利な構成が記載されている。
【０００５】
【発明の実施の形態】
次に、図面にもとづき本発明の１実施例を詳細に説明する。
【０００６】
本サンバイザはほぼ方形の板として形成されたサンバイザ本体２１と支承装置４５とを備えており、この支承装置は、サンバイザ本体２１と一点鎖線で示した支持体部分４３で表した車両車体とに結合されており、かつサンバイザ本体の上方の長手縁の中間領域内に設けられた切欠４６内に配置されている。
【０００７】
サンバイザ本体２１はＰＵ、ＥＰＰ、又はＰＰブロー成形体から成ることができる。ＰＵ又はＥＰＰ（発泡材）からの製作では、サンバイザ本体２１を装飾材料で被覆することが推奨され、他面において、ＰＰ射出成形体又はＰＰブロー成形体から形成されたサンバイザ本体では被覆なしで済ませることができる。
【０００８】
支承装置４５には、支承ケーシング１が付属しており、この支承ケーシングはプラスチック射出成形品であって、丸みを備えたほぼ方形の基板２と、これに形成もしくは一体成形されていて底部に丸み部２０を備えたＵ字形プロフィール３とから成っている。基板２はその背面に、外輪郭に対してオフセットして平行に延びる鉛直に起立したフランジ４を備えており、このフランジはその長手側に例えば３つのアンダカットされた突起１１とリブ５とを備えており、このリブはＵ字形プロフィール３の通路１２内へ延びていて通路１２内でのその形状付与により段部もしくは隆起部１３を形成している。通路１２は機能の理由から別の材料段部１４及び１５を備えている。通路１２の内部にはその左側及び右側に、互いに対向して位置していて外向きに突出したクリップ突起１８が設けられている。Ｕ字形プロフィール３には上方の中央に局部的な隆起部４１が設けられており、この隆起部はその形状付与にもとづき係止突起として役立つ。
【０００９】
基板２の中央に、楕円形の貫通孔７を備えた椀状の膨出部６が設けられている。この椀状の膨出部６の側方に、それもその左側及び右側に、十字形のウェブ８により形成された位置決めドームが設けられており、これらの位置決めドームは端部に段部９を備えていて円形の栓体１０へ移行しており、かつ当接部材及び回動阻止部材として役立っている。
【００１０】
支承装置にはさらに軸体１６が付属しており、この軸体は有利にはプラスチック射出成形品から成る。この軸体１６は、以下に説明する係止ばね１７のための係止面として役立つ片側に制限された平面部２２を備えた円柱形の１つの中間部分３７と、摺動阻止部材として２つのリング状の隆起部２３を備えている。軸体１６にはサンバイザ本体２１内に係合する２つの軸ジャーナル４７と、同様にサンバイザ本体２１内に係合する１つのフランジ２４とが一体成形されている。このフランジ２４はサンバイザ本体２１内での支承と取付けとのために円形の押抜き部２５を備えている。
【００１１】
支承装置にはさらに既に説明した係止ばね１７が付属しており、この係止ばねはＵ字形に形成されていて焼き入れされた金属から成っている。この係止ばね１７は比較的広幅のばね脚３５と、比較的狭幅のばね脚３６とを備えている。両方のばね脚３５，３６の自由端はウェブ状の段状突起２９，３０を備えている。
【００１２】
支承装置にはさらにアダプタ１９が付属している。このアダプタ１９はプラスチック射出品であり、かつほぼ方形の中間部分２６を備えており、この中間部分にはその底部内にそれぞれ互いに異なる寸法を有する２つのスリット状の貫通部２７及び２８が設けられている。貫通部２７及び２８は、係止ばね１７の対応して形成されたウェブ状の段状突起２９及び３０の受容に役立つ。中間部分２６には左側及び右側に滑りシュー状成形部３１が一体成形されており、かつウェブ３２により補強されている。さらに、中間部分２６には楕円形の貫通孔４０を備えた楕円形の隔てスリーブ３３が形成されており、その場合、この隔てスリーブ３３はウェブ３４を介して中間部分２６に結合されている。さらに、中間部分２６の角縁が段状成形部３９を備えている。
【００１３】
組立時に、まず係止ばね１７が、そのことのために設けられた軸体１６の中間領域３７内に押しはめられる。その際、狭幅のばね脚３６は係止面３２内へ滑入する。次いで、軸体１６がフランジ２４及び予め取り付けられた係止ばね１７と一緒に、支承ケーシング１の開いたＵ字形の通路１２内へ上方から押し込まれる。その際、係止ばね１７は材料自由スペース１５内へ挿入され、かつ軸体１６は底部領域２０内で支承され、その際、軸体１６の隆起した左側及び右側のリング状の隆起部２３が両方のウェブ５とあいまって軸方向の摺動阻止部材を形成する。次いでアダプタ１９の取付けが行われる。このアダプタ１９はその左側及び右側の滑りシュー状成形部３１により、支承ケーシング１のクリップ突起１８内に押し込まれ、このクリップ突起のアンダカット３８により係止され、その際、この組付け過程時に同時に係止ばね１７がセンタリングされてロックされる。アダプタ１９はその際、中間部分２６の４つの角隅に設けられた段部３９によってＵ字形通路１２内の両方のリブ５を介して強制的に案内されて位置決めされる。アダプタ１９の中間部分２６はそのスリット状の貫通部２７及び２８によって、係止ばね１７のウェブ状の段状突起２９，３０を受容し、その結果、係止ばね１７がロックされる。同様に、隔てスリーブ３３はその楕円形の貫通孔４０によって、支承ケーシング１の椀状の膨出部６に合致して位置決めされる。いまや、軸体１６はＵ字形の通路１２内に没入され、かつアダプタ１９によりすべての方向でロックされ、かつ、完成された支承装置はサンバイザ本体２１に回転可能に支承され、かつ結合される。
【００１４】
このような支承形式にもとづき、アンダカットされた突起１１と、隆起部４１と、クリップ突起としてのその構成とにより、支持体部分４２例えば完成天蓋への（支承装置４５及びサンバイザ本体２１の）予組付けを行うことができる。これにより、予組付けユニットを顧客に供給する可能性が生じる。顧客において車両内での最終組付けが行われる。十字形のウェブ８はその段部９により、隔てスリーブ３３と同様に（いわゆる３点支承として）自動車の薄板（支持部分４３）に支持され、その際最終的にねじ４４が規定された固定のために役立てられる。
【発明の効果】
本発明によれば、サンバイザが製作及び取付けの簡単なわずかな構成部品から成ると共に、激しい振動にさらされた場合でも確実に天蓋に保持される。
【図面の簡単な説明】
【図１】支承装置を備えたサンバイザの平面図である。
【図２】支承装置の完製図を示す斜視図である。
【図３】図２に示す支承装置の支承ケーシングを示す斜視図である。
【図４】支承ケーシングの平面図である。
【図５】図４のＣ−Ｃ線に沿った断面図である。
【図６】図２の示す支承装置の軸体を示す斜視図である。
【図７】係止ばねの斜視図である。
【図８】アダプタの斜視図である。
【図９】図１のＡ−Ａ線に沿った断面図である。
【図１０】図１のＢ−Ｂ線に沿った断面図である。
【符号の説明】
１  支承ケーシング、  ２  基板、  ３  Ｕ字形プロフィール、  ４  フランジ、  ５  リブ、  ６  膨出部、  ７  貫通孔、  ８  ウェブ、  ９  段部、  突起、  １２  Ｕ字形の通路、  １３  隆起部、  １６  軸体、  １７  係止ばね、  １８  クリップ突起、  １９  アダプタ、  ２０  丸み部、  ２１  サンバイザ本体、  ２２  平面部、  ２３  隆起部、  ２４  フランジ、  ２６  中間部分、  ２７  ，２８  スリット状の貫通部、  ２９，３０  段状突起、  ３１  滑りシュー状成形体、  ３５，３６  ばね脚、  ３７  中間部分、  ４０  貫通孔、  ４１  突起、  ４２  完成天蓋、  ４４  固定ねじ、  ４５  支承装置、  ４６  切欠、  ４７  軸ジャーナル
【図１】
0004268702.tif 000002
【図２】
0004268702.tif 000003
【図３】
0004268702.tif 000004
【図４】
0004268702.tif 000005
【図５】
0004268702.tif 000006
【図６】
0004268702.tif 000007
【図７】
0004268702.tif 000008
【図８】
0004268702.tif 000009
【図９】
0004268702.tif 000010
【図１０】
0004268702.tif 000011